(57)【要約】【課題】縫合糸の結紮部を皮膚内に確実かつ整然と完全に埋没させることができる縫合針を提供する。【解決手段】針本体１の胴部２の一端側に針先部３を形成すると共に他端側に針基部４を形成し、針基部４の端部に軸方向へ向けて形成した糸取付穴１３を設ける。針本体に、胴部２の針基部４側に位置させて形成した膨出部５を設ける。縫合針１００を生体組織に挿通して組織を貫通すると、針１００の出口部には膨出部５によって押し拡げられ、拡大された孔（挿通孔）が形成される。【選択図】図１
2005304990.tif 000002
【特許請求の範囲】
【請求項１】
針本体の胴部の一端側に形成された針先部と、前記胴部の他端側に形成され、端部に針本体の軸方向へ向けて設けた縫合糸取付用の糸取付穴を有する針基部と、前記胴部の少なくとも針基部側の近くに位置させて形成した膨出部とを備えていることを特徴とする、
縫合針。
【請求項２】
前記膨出部は、針基部側方向へ向けて膨出するように緩やかなテーパー部を付して略対称的に形成された２つのテーパー状壁部を含んで構成されていることを特徴とする、請求項１に記載の縫合針。
【請求項３】
前記膨出部は、略平ら状に形成された２つの面を含んで構成されていると共に前記両テーパー状壁部は前記略平ら状の２つの面の両側縁に形成されていることを特徴とする、請求項１又は２に記載の縫合針。
【請求項４】
前記両テーパー状壁部の外壁面には丸みが付与されていることを特徴とする、請求項１ないし３のいずれか１項に記載の縫合針。
【請求項５】
丸針で構成されていることを特徴とする、請求項１ないし４のいずれか１項に記載の縫合針。
【請求項６】
弯曲針で構成されていることを特徴とする、請求項１ないし５のいずれか１項に記載の縫合針。
【請求項７】
重瞼術用に使用する縫合針であることを特徴とする、請求項１ないし６のいずれか１項に記載の縫合針。
【請求項８】
前記針基部の糸取付穴に縫合糸が固着して取付けてあることを特徴とする、請求項１ないし７のいずれか１項に記載の縫合針。
【発明の詳細な説明】
【技術分野】
【０００１】
本発明は縫合針、主に二重瞼の手術（重瞼術）用に使用する縫合針、特に埋没法の施術用に適した縫合針に関するものである。
【背景技術】
【０００２】
重瞼術は、人種の特質上、日本、韓国、中国等、東北アジアで最も多く行われている眼の美容外科の手術である。
二重瞼の手術（重瞼術）は大別すると次の二種類の方法に分けられる。その１つは、メスで眼瞼の皮膚を切開して施術する方法（切開法）、他の１つは眼瞼の皮膚にメスで切開を加えないで施術する方法（非切開法）である。
【０００３】
後者の方法、即ち、眼瞼の皮膚にメスで切開を加えないで施術する方法の１つとして、埋没法がある。この埋没法は縫合針等を用いて眼瞼（上瞼）の皮膚と内部組織とを糸（縫合糸）で結び、その糸の結び目（結紮部）を埋入させておくことによって、外部からみた時に二重瞼が形成されているようにする方法である。前記糸の結紮部は皮膚側に埋入させる方法と結膜側に埋入させる方法とがある。この埋没法が今日一般的に普及し、多用されている。
現在行われている埋没法の手技として、主に皮膚挙筋固定法及び皮膚瞼板固定法が採用されている。前者は皮膚と瞼板上縁にある挙筋とを糸で１ヶ所又は数ヶ所結んで固定する方法である。また、後者は皮膚と瞼板とを糸で１ヶ所又は数ヶ所結んで固定する方法である。
【０００４】
以下、図６を参照して埋没法による重瞼術の一例の概要について説明する。図６（ａ）は皮膚挙筋固定法による重瞼術の概要の一例を示す説明図、図６（ｂ）は皮膚瞼板固定法による重瞼術の概要の一例を示す説明図である。
【０００５】
図６において、上瞼３０は、外側は皮膚３１（真皮）により、眼球（図示せず）側は結膜３２で囲まれており、その両者間には皮膚３１側から順に皮下組織３３、眼輪筋３４、挙筋３５、瞼板３６等、さまざまな組織の層が配列されている。
前記瞼板３６は上瞼３０の最も深い層に位置し、上瞼が歪まないようにその形状を維持する軟骨からなる板である。瞼板３６は上瞼組織の中で最も密度が高い。前記挙筋３５は、目を開ける働きをする筋肉で、目を開ける動作というのは、挙筋３５が瞼板３６を上に持ち上げる動作をいう。
【０００６】
図６では皮膚３１側で結紮する例が開示されている。縫合糸４０としては、例えば極細（例えば直径０．０６〜０．０７ミリ）のナイロン糸等を用い、糸４０の両端に縫合針（図示せず）が取付けてあるものを使用している。
施術に際しては、あらかじめ術前に重瞼ラインを設定し、縫合点Ｐ１，Ｐ２をマークしておく。
【０００７】
まず、図６（ａ）を参照して皮膚挙筋固定法につき説明する。同図に示すように、結膜３２側の所定の部位から一方の縫合針を組織内に刺入して、皮膚３１の前記一方の点Ｐ１の部位に貫通し、糸４０を上瞼３０の組織に貫通して挿通する。
次いで、前記針の結膜３２側の刺入点Ｐ３と同一点の部位から他方の縫合針を組織内に刺入し、瞼板３６の層内を所定の巾で通過させて結膜３２の表面から一旦抜き出して糸４０を瞼板３６内を這わせて通す。次いで、抜き出した針を抜き出し点Ｐ４と同一点の部位から再び組織内に刺入して皮膚３１の前記他方の点Ｐ２の部位に貫通し、糸４０を上瞼３０の組織に貫通して挿通する。
次いで、前記他方の点Ｐ２から抜き出した針を他方の点Ｐ２の部位から皮膚３１へ刺入し、皮下を通過させて前記一方の点Ｐ１の部位から皮膚外に抜き出し、これにより、糸４０を皮下を這わせて通す。
次いで、糸４０の両端を引っ張り、結紮する。この結紮は一般的には３回〜５回結びで実施されている。そして、結紮した後、鋏（図示せず）を用いて糸４０を結紮部近くでカットし、結紮部を皮膚３１内に埋没する。これにより、皮膚３１の層と挙筋３５の層とが糸４０で連結固定され、施術は終了する。
【０００８】
次に第６図（ｂ）を参照して皮膚瞼板固定法につき説明する。図６（ｂ）に示すように、結膜３２側の所定の部位から一方の縫合針を組織内に刺入して、皮膚３１の前記一方の点Ｐ１の部位に貫通し、糸４０を上瞼３０の組織に貫通して挿通する。
次いで、結膜３２側の前記一方の針の刺入点Ｐ５と所定の巾を存して所定の部位から他方の縫合針を組織内に刺入して、皮膚３１の前記他方の点Ｐ２の部位に貫通し、糸４０を上瞼３０の組織に貫通して挿通する。
次いで、前記他方の点Ｐ２から抜き出した針を他方の点Ｐ２の部位から皮膚３１へ刺入し、皮下を通過させて前記一方の点Ｐ１の部位から皮膚外へ抜き出し、これにより、糸４０を皮下を這わせて通す。
次いで、糸４０の両端を引っ張り、前記と同様に３回〜５回結びで結紮する。そして、結紮した後、前記と同様に鋏で糸４０をカットし、結紮部を皮膚内に埋没する。これにより、皮膚３１の層と瞼板３６の層とが糸４０で連結固定され、施術は終了する。
【０００９】
ところで、従来の重瞼術に使用される縫合針として、図７（ａ）および（ｂ）に示すものが一般に知られている。これら従来の縫合針は、例えば、特開２００１−８７２７１号公報の従来の縫合針の説明及び同公報の図４ないし図６に開示されている従来の縫合針と同一構成である（特許文献１参照）。
【００１０】
図７（ａ）に示す縫合針（以下、「第１の従来針」という）は、針本体５１の胴部５２の一端に針先部５３を形成すると共に他端に針本体の軸方向へ向けて設けた縫合糸取付用の糸取付穴５４を有する針基部５５を形成した弯曲丸針で構成されている。この第１の従来針は縫合糸４０の端部を前記穴５４へ挿入してかしめ着等により固着して糸４０の一端又は両端に取付けて使用されている。
【００１１】
上記第１の従来針を用いて図６で図解して説明した埋没法による重瞼術を実施した場合、次のような問題点を有している。
埋没法においては、糸４０の結紮部を皮膚内に完全に埋没させることが肝要である。結紮部の埋没が不完全であると、針による傷（挿通孔）の治癒が遅くなるのみならず、細菌によって炎症が誘発される恐れがある。また、上記のような事態が生じると、眼の美容外科の趣旨に反するのみならず、施術者側においても不満感が残る。
【００１２】
一般に埋没法に用いる縫合針は、針の挿通によって形成される孔をなるべく小さくするため、針本体の胴部の直径が０．５〜０．７ミリ程度の細針を用いており、これが常識的な考え方である。第１の従来針も上記の考えを踏襲して直径（針本体の胴部の直径）０．５〜０．７ミリ程度に形成してある。この第１の従来針を用いて施術すると、針の挿通によって形成される孔（挿通孔）はきわめて小さくなる。そのため、結紮部を前記孔から皮膚内に埋没し難くなり、その埋没操作が煩雑になる。時には結紮部を皮膚内に完全に埋没し得ない場合も生じる恐れがある。
上記のように、第１の従来針を用いて施術すると、結紮部の皮膚内への埋没が不完全になる恐れがあるため、上述した問題点を有している。
【００１３】
上記問題の解決策として、従来は、糸４０を結紮する側における皮膚３１の前記一方又は他方の前記点Ｐ１又はＰ２（図示では点Ｐ１）の部位に尖刃等で小切開を形成しておき、この小切開部内へ糸の結紮部を埋入させる方法が考えられる。この方法によれば結紮部を皮膚内へ埋設させることができる。しかるに、この方法は施術作業が複雑になると共に術後に前記小切開による傷跡が長期間にわたり残る恐れがある問題を有する。
前記のように小切開を形成しないで上記した問題を解消する方法として、針径（胴部の直径）を大きくした縫合針を採用する施術法が考えられる。針径を大きくすると、挿通孔も針径に比例して大きく形成することができるが、針径を大きくした場合には、刺通抵抗も針径に比例して大きくなり、縫合技術上の問題等、別の問題が生じる。
【００１４】
図７（ｂ）に示す縫合針（以下、「第２の従来針」という）は、針本体５６の胴部５７の一端に針先部５８を形成すると共に他端に縫合糸挿通用の糸穴５９を有する針基部６０を形成した弯曲丸針で構成されている。前記糸穴５９は一般にナミ穴或いは普通穴と称されている。
第２の従来針は縫合糸４０の端部側を糸穴５９に挿通して結び着６１して糸４０の一端又は両端に取付けて使用されている。
【００１５】
第２の従来針も第１の従来針と同様に直径（針本体の胴部の直径）０．５〜０．７ミリ程度に形成されている。そのため、第２の従来針を用いて上述した埋没法による重瞼術を実施すると、第１の従来針と同様の問題を有している。
また、第２の従来針は糸４０を糸穴５９に取付ける作業に手間が掛る問題も有していると共に糸の結び方が悪い場合には縫合中に糸の結び目が解けて糸穴５９から抜ける恐れもある。
【特許文献１】特開２００１−８７２７１号公報
【発明の開示】
【発明が解決しようとする課題】
【００１６】
本発明は上記のような実情に鑑み、縫合糸の結紮部を皮膚内に確実かつ安定して整然と完全に埋没させることができる縫合針を提供することを目的とするものである。
【課題を解決するための手段】
【００１７】
上記目的を達成するため、本発明は、針本体の胴部の一端側に形成された針先部と、前記胴部の他端側に形成され、端部に針本体の軸方向へ向けて設けた縫合糸取付用の糸取付穴を有する針基部と、前記胴部の少なくとも針基部側の近くに位置させて形成した膨出部とを備えていることを特徴とする。
【００１８】
本発明の縫合針は次のような過程を経て生体組織を貫通する。即ち、針先部の先端で生体組織に穿孔した後、針先部で前記孔を押し拡げながら前進する。次いで、膨出部で前記孔をさらに押し拡げながら押し進められ、組織外に抜き出る。
したがって、この縫合針を用いて生体組織を貫通すると、針の出口部には膨出部によって拡大された孔（挿通孔）が形成される。また、針本体は全体的に太く形成されていないため、刺通抵抗が大きくなることはなく、膨出部の通過時においても刺通抵抗値は微かに高くなるだけで挿通することができる。
【００１９】
上記のように、本発明の縫合針によれば、上述した第１及び第２の従来針と比べて刺通抵抗はほとんど大きくなることはなく、針の出口部には膨出部によって拡大された孔が形成される。
したがって、本発明の縫合針を用いて図６に開示した埋没法による重瞼術を行った場合、縫合糸を結紮した後、縫合糸を引っ張った状態で鋏を用いて縫合糸を結紮部近くでカットすると、結紮部は縫合糸及び上瞼の内部組織の張力で引っ張られて前記拡大された孔内に円滑に導入され、皮膚内に確実かつ完全に整然と埋没される。
また、前記孔（挿通孔）は膨出部によって拡大されて形成したものであるため、短時間（約１０時間程度）で治癒する。
【００２０】
本発明の縫合針は丸針で構成することができると共に弯曲針で構成することもできる。また、本発明の縫合針は重瞼術用（重瞼用縫合針）に構成することもできる。
【００２１】
本発明において、前記膨出部は針基部側方向へ向けて膨出するように緩やかなテーパー部を付して略対称的に形成された２つのテーパー状壁部を含んで構成することができる。また、前記膨出部は、略平ら状に形成された２つの面を含んで構成されていると共にテーパー状壁部は前記略平ら状の２つの面の両側縁に形成した構成を採用することができる。
【００２２】
本発明において、前記両テーパー状壁部の外壁面に丸みを付与する構成を採用することができる。また、本発明の縫合針は針基部の糸取付穴に縫合糸を固着して取付けた構成を採用することもできる。
【発明の効果】
【００２３】
本発明によれば、縫合針の貫通出口部には膨出部によって拡大された孔（針の挿通孔）が形成されている。したがって、縫合糸の結紮部を皮膚内に確実かつ安定して整然と完全に埋没させることができる。
【発明を実施するための最良の形態】
【００２４】
以下、本発明の実施の形態の一例を説明する。
【００２５】
図１は本発明の縫合針の一実施の形態を示すものであって、同図（ａ）は側面図、同図（ｂ）は針本体を直線状に伸展した状態を示す平面図、同図（ｃ）〜同図（ｅ）は同図（ｂ）のＡ−Ａ線、Ｂ−Ｂ線、Ｃ−Ｃ線拡大断面図、同図（ｆ）は同図（ｂ）の針本体の基端部側を拡大して示す平面図、図２は縫合針を縫合糸に固着して取付けた状態を示す説明図、図３は作用説明図である。
【００２６】
上記図１〜図３において、この実施の形態の縫合針１００は丸針で構成され、針本体１の胴部２の一端側に形成された針先部３と、胴部２の他端側に形成された針基部４と、胴部２の針基部４側に位置させて形成した膨出部５とを備えている。
【００２７】
針本体１は、その素材として、例えばオーステナイト系ステンレス（例えばＳＵＳ３０４）その他のステンレス鋼等の丸棒状の針材を採用できる。針本体１の長さ（針本体１を直線状に伸展した状態時における一端から他端までの寸法）は、特に限定されるものではないが、例えば、重瞼術用に使用する縫合針（重瞼用縫合針）の場合には、例えば約１６ミリ〜約２２ミリ程度に形成したものを採用することができる（但し、上記例示した範囲内に限定するものではない）。
実施の形態の縫合針１００は針本体１を全体的に円弧状に弯曲した弯曲針で構成されている。
弯曲針の種類としては、半円形状、即ち、円周の約１／２の長さに形成したもの（一般に強弯針と称されている）と、円周の約３／８の長さの円弧状に形成したもの（一般に弱弯針と称されている）等がある。実施の形態では弱弯針で構成した縫合針が開示されている。
【００２８】
前記胴部２の太さは特に限定するものではないが、例えば重瞼用縫合針の場合には、上述した第１及び第２の従来針と同様に、例えば直径約０．５ミリ〜約０．７ミリ程度に形成できる（但し、上記範囲内に限定されるものではない）。
丸針の場合、胴部２の断面形状は、通常の場合には円形状が多い（図示では円形状のものが開示されている）が、長円形状（楕円形状）や鼓形状等に形成することもできる。これらの形状は所望に応じて任意に決定する。
【００２９】
前記針先部３は先端側方向に次第に先細（直径又は断面積が縮小）するテーパー部１１で構成され、テーパー部１１の先端には刺入先端１２が形成されている。ここで、前記テーパー部１１とは、前記したように胴部２から先端１２に行くにしたがって直径又は断面積が次第に縮小する形状一般を意味し、断面積の変化が直線状なものは勿論、曲線状なものも含まれる。
前記テーパー部１１の断面形状は、一般的には円形状に形成されているが、長円形状（楕円形状）に形成することもできる。
【００３０】
前記針基部４は前記したように、胴部２の他端側に形成され、胴部の端部には針本体の軸方向へ向けて設けた縫合糸取付用の糸取付穴１３が形成されている。
また、針基部４は胴部２と略同じ太さに形成されている。縫合針１００は前記糸取付穴１３に上述した縫合糸４０と同様の縫合糸４０を挿入して、かしめ着等により固着して糸４０の一端又は両端に取付けて使用される。例えば重瞼術のような場合、縫合糸４０は従来と同様に極細（例えば、直径約０．０６ミリ〜０．０７ミリ程度）のナイロン糸やポリプロピレン系等の糸を使用することができる。
前記糸４０は黒色系その他の任意の着色糸を使用できると共に無着色糸を使用することもできる。また、前記糸４０の長さは適当に決定する。重瞼術用の場合には、例えば約２５ｃｍ〜約４０ｃｍ程度の長さのものを採用することができる。但し、上記範囲に限定するものではない。
【００３１】
前記膨出部５は、上述したように胴部２の針基部４側に位置させて形成されている。この実施の形態の膨出部５は、針基部４側方向に向けて膨出するように緩やかなテーパー部を付して針本体１の胴部２の両側（図１ｂ及びｆにおいて上下側）に略対称的に形成された２つのテーパー状壁部１４，１５を含んで構成されている。前記両テーパー状壁部１４，１５の外壁部には丸みが付与されている。
また、実施の形態の膨出部５は、略平ら状に形成された２つの面１６，１７を含んで構成され、前記両テーパー状壁部１４，１５は前記平ら状の面１６，１７の両側縁に形成されている。
即ち、実施の形態の膨出部５は前記平ら状に形成された２つの面１６，１７と、両面１６，１７の両側縁に形成された前記両テーパー状壁部１４，１５とを含んで構成されている。膨出部５を実施の形態のように構成すると、持針器で針を把持する場合の把持部としても利用することができる。
【００３２】
前記膨出部５の膨出最大寸法、即ち、この実施の形態では両テーパー状壁部１４，１５間の最も巾の広い部位の寸法は、針本体１の胴部２の太さ等に対応して適当に決定される。胴部２の太さを上述したように、例えば直径約０．５ミリ〜約０．７ミリ程度に形成した場合には、胴部２の太さより例えば約０．２５ミリ〜約０．３５ミリ程度の範囲で拡大（拡径）して構成したものを採用することができる。但し、拡大値は上記例示した範囲に限定されるものではない。
また、前記膨出部５の針基部４側は、この実施の形態では、なだらかなカーブを付与して縮小し、針基部４に到っている。
【００３３】
前記膨出部５は、例えば図示しないプレス機を用い、針本体１の製造の任意の工程で針材の所定部をプレス加工する等により成形することができる。
なお、針本体１の針先部３或いは針本体１の全体をシリコンコーティングする構成を採用することもできる。
【００３４】
実施の形態の縫合針１００は上記のように構成したもので、この縫合針は次のような過程を経て生体組織２０（図３参照）を貫通する。
即ち、図３に示すように、針先部３の刺入先端１２で生体組織２０に穿孔した後、針先部３のテーパー部１１で前記孔を押し拡げながら前進する。次いで、膨出部のテーパー状壁部で前記孔をさらに押し拡げながら前進し、組織２０外に抜き出る。
したがって、この縫合針１００を用いて生体組織２０を貫通すると、針１００の出口部２２には膨出部５によって拡大された孔２１（挿通孔）が形成される。また、針本体１の胴部２は全体的に太く形成されていないため、刺通抵抗が大になることはなく、膨出部５の通過時においても刺通抵抗値は微かに高くなるだけで円滑に挿通する。
【００３５】
なお、上記実施の形態では弯曲針で構成した縫合針を開示したが、本発明は弯曲針に限定されるものではない。例えば、針本体１の全長の約半分（針先部側）のみを弯曲した縫合針（先曲針）、或いはジモン氏針や兎唇用縫合針のようにフック針状に弯曲した縫合針等のように構成したものも採用することができる。
また、針本体１の針先部３或いは針本体の全体をシリコンコーティングする構成を採用できること勿論である。
【００３６】
次に、上記実施の形態の縫合針１００を用いた埋没法による重瞼術の一例につき、図４及び図５を参照して説明する。図４及び図５は上記縫合針１００を使用して皮膚瞼板固定法による重瞼術の一例を行っている過程の概要を示す説明図である。縫合針１００は縫合糸４０の両端に固着して取付けてある。前記針１００は施術過程を判り易く図解するため、縮小して開示してある。なお、上瞼３０の組織構成については図６と同一であるため、同一符号を付して詳細な説明は省略する。また、縫合針１００は持針器で把持して施術するものであるが、この点については従来と同様であるため、説明は省略する。
【００３７】
図４及び図５では皮膚３１側で結紮する例が開示されている。施術に際しては、従来と同様に、あらかじめ術前に重瞼ラインを設定し、縫合点Ｐ１，Ｐ２をマークしておく。
図４（ａ）に示すように、結膜３２側の所定の部位から一方の縫合針１００（以下、「第１の針」という）を組織内に刺入して、皮膚の前記一方の点Ｐ１の部位に貫通し、糸４０を上瞼３０の組織に貫通して挿通する。この段階で第１の針１００を糸４０から切り離してもよい。
次いで、図４（ｂ）に示すように、結膜３２側の前記第１の針１００の刺入点Ｐ５と所定の巾を存して所定の部位Ｐ６から他方の縫合針１００（以下、「第２の針」という）を組織内に刺入して、皮膚３１の前記他方の点Ｐ２の部位に貫通し、糸４０を上瞼３０の組織に貫通して挿通する。
次いで、図４（ｃ）に示すように、前記他方の点Ｐ２から抜き出した第２の針１００を他方の点Ｐ２の部位から再び皮膚３１内へ刺入し、皮下を通過させて前記一方の点Ｐ１の部位から皮膚外へ抜き出し、これにより、糸４０を皮下を這わせて通す。上記過程により、前記一方の点Ｐ１の部位、つまり、第１及び第２の針１００の出口部には、膨出部５によって押し拡げられて拡大された孔２３（挿通孔）が形成される（図５参照）。
【００３８】
次いで、図４（ｄ）に示すように、第２の針１００を切り離し、糸４０の両端部を引っ張り、図４（ｅ）に示すように結紮２４する。この結紮２４は糸４０の両端部を引っ張りながら例えば３回〜５回結びで行う。この糸４０の結紮部２４の形成部位が図５（ａ）に拡大して示されている。
そして、前記のように糸４０を結紮２４した後、図４（ｆ）に示すように、糸４０を引っ張りながら鋏（図示せず）を用いて糸４０を結紮部２４近くでカット２５することにより、図４（ｇ）に示すように、結紮部２４は糸４０及び上瞼３０の内部組織の張力で引っ張られて前記孔２３内に円滑に導入され、皮膚３１内に確実かつ完全に整然と埋没し、施術は終了する。上記過程の部位が図５（ｂ）および（ｃ）で拡大して示されている。また、前記孔２３は、上述したように膨出部の通過によって押し拡げられて形成されたものであるため、短持間（約１０時間程度）で治癒する。
【００３９】
なお、上記した施術法は一例として開示したもので、本発明の縫合針は皮膚挙筋固定法による重瞼術においても前記と同様に使用できること勿論である。また、本発明の縫合針は重瞼術以外の手術用にも適応して使用できるものである。
【００４０】
また、上記した縫合針は本発明の実施の形態の一例として開示したもので、本発明は上記実施の形態に限定されるものではなく、特許請求の範囲に記載の技術思想を越脱しない範囲内において任意に変更可能なものである。
【図面の簡単な説明】
【００４１】
【図１】本発明の縫合針の一実施の形態を示すものであって、同図（ａ）は側面図、同図（ｂ）は針本体を直線状に伸展した状態を示す平面図、同図（ｃ）〜同図（ｅ）は同図（ｂ）のＡ−Ａ線、Ｂ−Ｂ線、Ｃ−Ｃ線拡大断面図、同図（ｆ）は同図（ｂ）の針本体の基端部側を拡大して示す平面図である。
【図２】図１の縫合針を縫合糸の両端にそれぞれ固着して取付けた状態を示す説明図である。
【図３】図１の縫合針の作用説明図である。
【図４】図１の縫合針を用いて埋没法による重瞼術の一例を行っている過程の概要を示す説明図であって、同図（ａ）は一方の縫合針（第１の針）を上瞼の結膜側から組織内に刺入して皮膚側に貫通し、縫合糸（糸）を上瞼の組織に貫通して挿通する過程を示す説明図、同図（ｂ）は他方の縫合針（第２の針）を結膜側から組織内に刺入して皮膚側に貫通し、糸を組織に貫通して挿通する過程を示す説明図、同図（ｃ）第２の針を前記貫通した部位から皮膚内へ刺入し、皮下を通過させて第１の針の貫通部位から皮膚外へ抜き出し、糸を皮下を這わせて通す過程を示す説明図、同図（ｄ）は両針を切り離した糸を引っ張る過程を示す説明図、同図（ｅ）は糸を引っ張りながら結紮する過程を示す説明図、同図（ｆ）は結紮した糸を引っ張りながらカットする過程を示す説明図、同図（ｇ）は前記糸のカットにより結紮部が皮膚内に埋没し、施術を完了した過程を示す説明図である。
【図５】図４の施術過程の一部を拡大して示す説明図であって、同図（ａ）は図４（ｅ）の円仮想線の部位を拡大して示す説明図、同図（ｂ）は図４（ｆ）の円仮想線の部位を拡大して示す説明図、同図（ｃ）は図４（ｇ）の円仮想線の部位を拡大して示す説明図である。
【図６】埋没法による重瞼術の一例の概要を示す説明図であって、同図（ａ）は皮膚挙筋固定法による重瞼術の概要の一例を示す説明図、同図（ｂ）は皮膚瞼板固定法による重瞼術の概要の一例を示す説明図である。
【図７】従来の重瞼術に使用されている縫合針を示す図であって、同図（ａ）は針基部に軸方向へ向けて設けた糸取付穴を有する縫合針を示す説明図、同図（ｂ）は針基部に縫合糸挿通用の糸穴を有する縫合針を示す説明図である。
【符号の説明】
【００４２】
１      針本体
２      胴部
３      針先部
４      針基部
５      膨出部
１３    糸取付穴
１００  縫合針
【図１】
2005304990.tif 000003
【図２】
2005304990.tif 000004
【図３】
2005304990.tif 000005
【図４】
2005304990.tif 000006
【図５】
2005304990.tif 000007
【図６】
2005304990.tif 000008
【図７】
2005304990.tif 000009